(57)【要約】【課題】計測項目および計測結果と、これに関連する計測部位とを、オペレータが対応付けて判断することを容易にし、診断などの作業を効率的に実施でき、操作性を向上する。【解決手段】表示部１２１により表示される断層画像ＩＴを計測する計測項目と、表示部１２１により表示される断層画像ＩＴについて計測する計測部位とを計測設定部１３１が設定する。そして、計測設定部１３１に設定された計測項目と計測部位とに基づいて、表示部１２１により表示される断層画像ＩＴを計測部１３２が計測して計測結果を得る。そして、計測設定部１３１により設定された計測部位を示す計測部位画像ＩＰを断層画像ＩＴにおいて対応する領域に表示すると共に、計測設定部１３１により設定された計測項目を示す計測項目画像ＩＱと、計測部１３２により得られた計測結果を示す計測結果画像ＩＲとを、計測部位画像ＩＰに近接して並ぶように表示部１２１が表示する。【選択図】図３
2006149701.tif 000002
【特許請求の範囲】
【請求項１】
被検体の断層面についての断層画像を計測する断層画像計測装置であって、
前記断層画像を表示する表示部と、
前記表示部により表示される前記断層画像を計測する計測項目と、前記表示部により表示される前記断層画像について計測する計測部位とを設定する計測設定部と、
前記計測設定部に設定された前記計測項目と前記計測部位とに基づいて前記表示部により表示される前記断層画像を計測し計測結果を得る計測部と
を有し、
前記表示部は、前記計測設定部により設定された前記計測部位を示す計測部位画像を前記断層画像において対応する領域に表示すると共に、前記計測設定部により設定された前記計測項目を示す計測項目画像と、前記計測部により得られた前記計測結果を示す計測結果画像とを前記計測部位画像に並ぶように表示する
断層画像計測装置。
【請求項２】
前記表示部により表示される前記計測部位画像と前記計測項目画像と前記計測結果画像とについての表示の可否を設定する第１表示設定部
を有し、
前記表示部は、前記第１表示設定部による設定に対応するように前記計測部位画像と前記計測項目画像と前記計測結果画像とを表示する
請求項１に記載の断層画像計測装置。
【請求項３】
前記表示部により表示される前記計測項目画像と前記計測結果画像とについての表示位置を設定する第２表示設定部
を有し、
前記表示部は、前記第２表示設定部による設定に対応する位置で前記計測項目画像と前記計測結果画像とを表示する
請求項１または２に記載の断層画像計測装置。
【請求項４】
前記計測設定部は、前記計測項目と前記計測部位との組み合わせを複数設定し、
前記計測部は、前記計測設定部により設定された前記計測項目と前記計測部位との複数の組み合わせに基づいて、前記断層画像を計測して計測結果を複数取得し、
前記表示部は、前記計測設定部により複数設定された前記計測項目を示す複数の前記計測項目画像と、前記計測部により得られた複数の前記計測結果を示す複数の前記計測結果画像とを、それぞれが異なる位置になるように前記計測部位画像に表示する
請求項１から３のいずれかに記載の断層画像計測装置。
【請求項５】
前記断層画像を生成する断層画像生成部
を備え、
前記断層画像生成部は、被検体に超音波を送信し前記被検体から反射される前記超音波を受信して得られるエコー信号に基づいて前記断層画像を生成する
請求項１から４のいずれかに記載の断層画像計測装置。
【請求項６】
超音波プローブと、
前記超音波プローブから超音波を被検体へ送信し、前記被検体から反射される前記超音波を前記超音波プローブで受信してエコー信号を得る送受信部と、
前記送受信部により得られる前記エコー信号に基づいて、前記被検体の断層面についての断層画像を生成する断層画像生成部と、
前記断層画像生成部により生成された前記断層画像を表示する表示部と
を備える超音波診断装置であって、
前記表示部により表示される前記断層画像を計測する計測項目と、前記表示部により表示される前記断層画像について計測する計測部位とを設定する計測設定部と、
前記計測設定部に設定された前記計測項目と前記計測部位とに基づいて前記表示部により表示される断層画像を計測し計測結果を得る計測部と
を有し、
前記表示部は、前記計測設定部により設定された前記計測部位を示す計測部位画像を前記断層画像において対応する領域に表示すると共に、前記計測設定部により設定された前記計測項目を示す計測項目画像と、前記計測部により得られた前記計測結果を示す計測結果画像とを前記計測部位画像に並ぶように表示する
超音波診断装置。
【請求項７】
前記表示部により表示される前記計測部位画像と前記計測項目画像と前記計測結果画像とについての表示の可否を設定する第１表示設定部
を有し、
前記表示部は、前記第１表示設定部による設定に対応するように前記計測部位画像と前記計測項目画像と前記計測結果画像とを表示する
請求項６に記載の超音波診断装置。
【請求項８】
前記表示部により表示される前記計測項目画像と前記計測結果画像とについての表示位置を設定する第２表示設定部
を有し、
前記表示部は、前記第２表示設定部による設定に対応する位置で前記計測項目画像と前記計測結果画像とを表示する
請求項６または７に記載の超音波診断装置。
【請求項９】
前記計測設定部は、前記計測項目と前記計測部位との組み合わせを複数設定し、
前記計測部は、前記計測設定部により設定された前記計測項目と前記計測部位との複数の組み合わせに基づいて、前記断層画像を計測し計測結果を複数取得し、
前記表示部は、前記計測設定部により複数設定された前記計測項目を示す複数の前記計測項目画像と、前記計測部により得られた複数の前記計測結果を示す複数の前記計測結果画像とを、それぞれが異なる位置になるように前記計測部位画像に表示する
請求項６から８のいずれかに記載の超音波診断装置。
【発明の詳細な説明】
【技術分野】
【０００１】
本発明は、断層画像計測装置および超音波診断装置に関するものである。
【背景技術】
【０００２】
断層画像計測装置は、被検体の断層面についての断層画像を計測する装置であり、たとえば、超音波診断装置において利用されている。
【０００３】
超音波診断装置は、Ｂモード、ＣＦＭ（Ｃｏｌｏｒ  Ｆｌｏｗ  Ｍａｐｐｉｎｇ）モード、ＰＷＤ（Ｐｕｌｓｅ  Ｗａｖｅ  Ｄｏｐｐｅｌｅｒ）モードなど様々な撮影モードがある。超音波診断装置は、リアルタイムに画像を生成して表示することができるため、特に、胎児検診や心臓検診などの医療分野において重用されている。
【０００４】
超音波診断装置は、超音波を被検体に送信し、その被検体から反射され受信される超音波であるエコー信号に基づいて、被検体の断層面についての断層画像を生成し、その断層画像を画面に表示する。そして、画面に表示される断層画像を計測する計測項目と、その断層画像について計測する計測部位とがオペレータによって設定された後に、超音波診断装置は、その設定された計測項目と計測部位とに基づいて、その断層画像を計測して計測結果を得る。超音波診断装置は、たとえば、Ｂモードの撮影モードによって胎児についての画像を生成し、胎児の頭部の大横径（ＢＰＤ：Ｂｉｐａｒｉｅｔａｌ  Ｄｉａｍｅｔｅｒ）などの計測項目についての計測を実施する（たとえば、特許文献１参照）。
【特許文献１】特開２０００−５１７３号公報
【発明の開示】
【発明が解決しようとする課題】
【０００５】
上記のように、断層画像についてのＢＰＤを計測する場合においては、たとえば、オペレータがポインティングデバイスなどの入力デバイスを用いて、第１計測点と第２計測点とを画面に表示されている断層画像に規定し、その第１計測点と第２計測点とにより規定される領域を計測部位として設定する。そして、その第１計測点と第２計測点とにより規定される領域の距離を計測して計測結果を取得する。
【０００６】
このとき、超音波診断装置は、第１計測点と第２計測点とを結ぶ直線の画像である計測キャリパを、断層画像において対応する領域に重ねるように表示画面上に表示して、計測が実施された計測部位をオペレータに示している。そして、計測項目と計測結果とを、画面上のウィンドウ内に並べて表示する。つまり、計測項目および計測結果を示す画像が、計測部位を示す画像である計測キャリパから離れた別の領域に表示される。
【０００７】
このため、断層画像計測装置および超音波診断装置においては、計測項目および計測結果と、それに関連する計測部位とを、オペレータが対応付けて判断することが困難な場合があり、診断などの作業を効率的に実施することが困難となって操作性が低下する場合があった。特に、計測項目と計測部位との組み合わせが複数設定された場合には、計測部位を示す計測キャリパが複数表示されるために、この不具合が顕在化する場合があった。
【０００８】
したがって、本発明の目的は、作業を効率的に実施可能であって操作性を向上することが可能な断層画像計測装置および超音波診断装置を提供することにある。
【課題を解決するための手段】
【０００９】
上記目的を達成するために、本発明の断層画像計測装置は、被検体の断層面についての断層画像を計測する断層画像計測装置であって、前記断層画像を表示する表示部と、前記表示部により表示される前記断層画像を計測する計測項目と、前記表示部により表示される前記断層画像について計測する計測部位とを設定する計測設定部と、前記計測設定部に設定された前記計測項目と前記計測部位とに基づいて前記表示部により表示される前記断層画像を計測し計測結果を得る計測部とを有し、前記表示部は、前記計測設定部により設定された前記計測部位を示す計測部位画像を前記断層画像において対応する領域に表示すると共に、前記計測設定部により設定された前記計測項目を示す計測項目画像と、前記計測部により得られた前記計測結果を示す計測結果画像とを前記計測部位画像に並ぶように表示する。
【００１０】
上記目的を達成するために、本発明の超音波診断装置は、超音波プローブと、前記超音波プローブから超音波を被検体へ送信し、前記被検体から反射される前記超音波を前記超音波プローブで受信してエコー信号を得る送受信部と、前記送受信部により得られる前記エコー信号に基づいて、前記被検体の断層面についての断層画像を生成する断層画像生成部と、前記断層画像生成部により生成された前記断層画像を表示する表示部とを備える超音波診断装置であって、前記表示部により表示される前記断層画像を計測する計測項目と、前記表示部により表示される前記断層画像について計測する計測部位とを設定する計測設定部と、前記計測設定部に設定された前記計測項目と前記計測部位とに基づいて前記表示部により表示される断層画像を計測し計測結果を得る計測部とを有し、前記表示部は、前記計測設定部により設定された前記計測部位を示す計測部位画像を前記断層画像において対応する領域に表示すると共に、前記計測設定部により設定された前記計測項目を示す計測項目画像と、前記計測部により得られた前記計測結果を示す計測結果画像とを前記計測部位画像に並ぶように表示する。
【発明の効果】
【００１１】
本発明によれば、作業を効率的に実施可能であって操作性を向上することが可能な断層画像計測装置および超音波診断装置を提供することができる。
【発明を実施するための最良の形態】
【００１２】
以下より、本発明にかかる実施形態について説明する。
【００１３】
図１は、本発明にかかる実施形態の超音波診断装置１の全体構成を示すブロック図である。
【００１４】
図１に示すように、超音波診断装置１は、超音波プローブ１１と、送受信部１２と、断層画像生成部１３と、記憶部１４と、断層画像計測装置１０１と、制御部３０１と、操作部３０２とを有する。ここで、断層画像計測装置１０１は、表示部１２１と、計測設定部１３１と、計測部１３２と、計測画像生成部１３３と、表示設定部１４１とを有し、また、表示設定部１４１は、第１表示設定部２０１と、第２表示設定部２０２とを有する。
【００１５】
各部について、順次、説明する。
【００１６】
超音波プローブ１１は、アレイ状に配列されている圧電素子（図示なし）を有する。それぞれの圧電素子は、たとえば、ＰＺＴ（チタン酸ジルコン酸鉛）セラミックスなどにより構成されており、電気信号を音波に変換して送信し、そして、受信した音波を電気信号に変換する。超音波プローブ１１は、圧電素子が形成された面を被検体の表面に当接して使用される。超音波プローブ１１は、制御部３０１からの指令によって送受信部１２から送信される駆動信号に基づいて、圧電素子から超音波を被検体内に送信し、被検体内から反射される超音波のエコーを圧電素子によって検出する。
【００１７】
送受信部１２は、超音波を送受信する送受信回路を含むように構成されている。送受信部１２は、超音波プローブ１１に接続されており、制御部３０１からの指令に基づいて、超音波プローブ１１から超音波を被検体へ送信し、その被検体から反射される超音波を超音波プローブ１１で受信してエコー信号を得る。そして、送受信部１２は、生成したエコー信号を断層画像生成部１３に出力する。具体的には、送受信部１２は、超音波ビームを移動させて走査するように、超音波プローブ１１の圧電素子を、順次、切り替えてエコー信号を受信し、その受信したエコー信号に増幅、遅延、加算などの処理を実施して断層画像生成部１３に出力する。
【００１８】
断層画像生成部１３は、送受信部１２により得られるエコー信号に基づいて、その被検体の断層面についての断層画像ＩＴを生成する。断層画像生成部１３は、コンピュータによって構成されており、制御部３０１からの指令に基づいて、送受信部１２からのエコー信号を画像処理し、被検体の断層面についての断層画像ＩＴを時系列順にフレームごとに生成する。具体的には、断層画像生成部１３は、送受信部１２が出力するエコー信号を対数増幅した後に包絡線を検波し、たとえば、Ｂモードによる断層画像ＩＴをフレーム毎に生成する。そして、断層画像生成部１３は、記憶部１４に接続されており、前述のようにして生成したフレームの画像を、順次、記憶部１４に出力する。断層画像生成部１３は、たとえば、超音波プローブ１１を用いて妊婦の腹部内における胎児の頭部についてスキャンして得られるエコー信号に基づいて、胎児の頭部についての断層画像ＩＴを生成し、記憶部１４へその胎児の頭部についての断層画像ＩＴを出力して記憶させる。
【００１９】
記憶部１４は、たとえば、シネメモリとＨＤＤとを含むように構成されており、断層画像生成部１３により生成された断層画像ＩＴを記憶する。記憶部１４は、断層画像生成部１３と接続されており、制御部３０１からの指令に基づいて、断層画像生成部１３により生成される複数フレームの断層画像ＩＴをシネメモリで一時的に記憶した後、ＨＤＤに出力して記憶する。たとえば、記憶部１４は、シネメモリに２分間分の動画像に相当するフレームの断層画像ＩＴを記憶し、その２分間分の動画像についてのフレームの断層画像ＩＴをＨＤＤに出力して記憶する。また、記憶部１４のシネメモリは、表示部１２１に接続されており、シネメモリが記憶した動画像のフレームが表示部１２１によって順次リアルタイムに表示される。そして、記憶部１４のＨＤＤも同様に、表示部１２１に接続されており、オペレータにより操作部３０２に入力される指令に基づいて、ＨＤＤが記憶した動画像のフレームである断層画像ＩＴの画像データを表示部１２１に出力し、表示部１２１がその断層画像ＩＴを表示する。その他に、記憶部１４は、計測画像生成部１３３から計測部位画像ＩＰと計測項目画像ＩＱと計測結果画像ＩＲとの画像データを取得し、計測部位画像ＩＰと計測項目画像ＩＱと計測結果画像ＩＲとに対応する断層画像ＩＴに関連付けて、ＨＤＤを用いて記憶する。
【００２０】
断層画像計測装置１０１は、コンピュータにより構成されており、制御部３０１からの指令に基づいて、被検体の断層面についての断層画像ＩＴを計測して被検体についての計測結果を取得し、その計測結果を表示する。図１に示すように、断層画像計測装置１０１は、表示部１２１と、計測設定部１３１と、計測部１３２と、計測画像生成部１３３と、表示設定部１４１とを有する。
【００２１】
表示部１２１は、断層画像生成部１３により生成された断層画像ＩＴを、記憶部１４から取得して表示する。表示部１２１は、たとえば、グラフィックディスプレイ（ｇｒａｐｈｉｃ  ｄｉｓｐｌａｙ）とＤＳＣ（Ｄｉｄｉｔａｌ  Ｓｃａｎ  Ｃｏｎｖｅｒｔｅｒ）とを含む。表示部１２１は、記憶部１４に接続されており、制御部３０１からの指令に基づいて、記憶部１４のシネメモリが記憶する断層画像ＩＴをＤＳＣにより表示信号に変換し、グラフィックディスプレイの表示画面に断層画像生成部１３が生成する断層画像ＩＴをリアルタイムに表示する。また、表示部１２１は、記憶部１４のＨＤＤに接続されており、オペレータにより操作部３０２に入力される指令に基づいて、ＨＤＤが記憶した動画像のフレームである断層画像ＩＴの画像データを受けて、その断層画像ＩＴを画面に表示する。たとえば、表示部１２１は、妊婦の腹部内における胎児の頭部についての断層画像ＩＴを記憶部１４から取得し、画面にその断層画像ＩＴを表示する。
【００２２】
また、この時、表示部１２１は、計測設定部１３１により設定された計測部位を示す計測部位画像ＩＰを、その断層画像ＩＴにおいて対応する領域に表示する。表示部１２１は、計測画像生成部１３３が生成した計測部位画像ＩＰを取得後、その取得した計測部位画像ＩＰを、被検体の断層画像ＩＴにて対応するように位置合わせして表示する。そして、表示部１２１は、その計測部位画像ＩＰと共に、計測設定部１３１により設定された計測項目を示す計測項目画像ＩＱと、計測部１３２により得られた計測結果を示す計測結果画像ＩＲとを、計測部位画像ＩＰに並ぶように表示する。ここでは、表示部１２１は、計測画像生成部１３３が生成した計測項目画像ＩＱと計測結果画像ＩＲと取得した後、その計測項目画像ＩＱと計測結果画像ＩＲとを、計測部位画像ＩＰに並ぶように位置合わせして表示する。
【００２３】
たとえば、計測部１３２が、ＢＰＤを計測項目とし、胎児の頭部についての断層画像ＩＴにて第１計測点と第２計測点とにより規定される領域を計測部位として、その第１計測点と第２計測点とにより規定される領域の距離を計測し、計測結果を取得した際には、表示部１２１は、たとえば、第１計測点と第２計測点とを結ぶ計測部位を直線で示す計測部位画像ＩＰを断層画像ＩＴにおいて対応する領域に表示すると共に、計測項目を文字で示す計測項目画像ＩＱと、計測結果を数値で示す計測結果画像ＩＲとを、計測部位画像ＩＰに並ぶように表示する。
【００２４】
また、表示部１２１は、計測設定部１３１によって計測項目と計測部位との組み合わせが複数設定され、計測部１３２が、その計測設定部１３１により設定された計測項目と計測部位との複数の組み合わせに基づいて、断層画像ＩＴを計測して、複数の計測結果をそれぞれ取得した際には、計測設定部１３１により複数設定された計測項目を示す複数の計測項目画像ＩＱと、計測部１３２により得られた複数の計測結果を示す複数の計測結果画像ＩＲとを、それぞれが異なる位置になるように計測部位画像ＩＰに並べて表示する。
【００２５】
たとえば、計測部１３２がＢＰＤを計測項目とし複数の計測部位についての計測をそれぞれの組み合わせに応じて実施し、複数の計測結果を取得した場合には、表示部１２１は、第１計測点と第２計測点とを結ぶ計測部位を直線で示す複数の計測部位画像ＩＰを断層画像ＩＴにおいて対応する領域にそれぞれ表示すると共に、各計測項目を文字で示す複数の計測項目画像ＩＱと、各計測結果を数値で示す複数の計測結果画像ＩＲとのそれぞれが重なり合わないように位置調整し、それぞれに対応する計測部位画像ＩＰに並べて表示する。
【００２６】
また、表示部１２１は、表示設定部１４１によって表示条件が設定された際には、表示設定部１４１が設定した表示条件に基づいて、画像の表示を実施する。ここでは、表示部１２１は、後述するように、第１表示設定部２０１によって計測部位画像ＩＰと計測項目画像ＩＱと計測結果画像ＩＲとについての表示の可否が設定された際には、第１表示設定部２０１による表示可否の設定に対応するように計測部位画像ＩＰと計測項目画像ＩＱと計測結果画像ＩＲとを表示する。たとえば、ＢＰＤを計測項目とし、そのＢＰＤについての第１計測点と第２計測点とを結ぶ計測部位を直線で示す計測部位画像ＩＰを、断層画像ＩＴにおいて対応する領域に表示すると共に、計測項目を文字で示す計測項目画像ＩＱと、計測結果を数値で示す計測結果画像ＩＲとを計測部位画像ＩＰに並ぶように表示している際に、計測部位画像ＩＰと計測項目画像ＩＱと計測結果画像ＩＲとについての表示を無くす設定が第１表示設定部２０１によってされた場合には、表示部１２１は、その設定に対応するように、計測部位画像ＩＰと計測項目画像ＩＱと計測結果画像ＩＲとの表示の実施を停止し、断層画像ＩＴのみを表示する。
【００２７】
また、第２表示設定部２０２によって計測項目画像ＩＱと計測結果画像ＩＲとについての表示位置が設定された際には、表示部１２１は、第２表示設定部２０２の設定に対応する位置で計測項目画像ＩＱと計測結果画像ＩＲとを表示する。たとえば、ＢＰＤを計測項目とし、そのＢＰＤについての第１計測点と第２計測点とを結ぶ計測部位を直線で示す計測部位画像ＩＰを、断層画像ＩＴにおいて対応する領域に表示すると共に、計測項目を文字で示す計測項目画像ＩＱと、計測結果を数値で示す計測結果画像ＩＲとを、計測部位画像ＩＰの中心部分に並ぶように表示している際に、計測項目画像ＩＱと計測結果画像ＩＲとについての表示位置を、計測部位画像ＩＰの中心部分から第１計測点の側に移動するように第２表示設定部２０２によって設定された場合には、表示部１２１は、その設定に対応するように、計測項目画像ＩＱと計測結果画像ＩＲとについての表示位置を計測部位画像ＩＰの第１計測点側に移動して表示する。
【００２８】
計測設定部１３１は、表示部１２１により表示される断層画像ＩＴを計測する計測項目と、表示部１２１により表示される断層画像ＩＴについて計測する計測部位とを設定する。計測設定部１３１は、オペレータにより操作部３０２に入力される計測項目と計測部位とに関する指令に基づいて、計測項目と計測部位とを設定した後に、計測項目と計測部位とについてのデータを計測部１３２に出力する。たとえば、オペレータからの指令に基づいてＢＰＤを計測項目として設定する際には、胎児の頭部についての断層画像ＩＴにおいて、オペレータが操作部３０２のポインディングデバイスを操作して断層画像ＩＴ上に第１計測点と第２計測点とを規定したことに基づいて、計測設定部１３１は、その第１計測点と第２計測点とにより規定される領域を計測部位として設定する。そして、計測設定部１３１は、その第１計測点と第２計測点とにより規定される領域間の距離を計測させるように、計測項目と計測部位とを設定し、計測部１３２に出力する。
【００２９】
また、ここで、計測項目と計測部位との組み合わせがオペレータによって操作部３０２に複数入力された際には、計測設定部１３１は、計測項目と計測部位との組み合わせを複数設定する。たとえば、ＢＰＤを計測項目として設定する際において、胎児の頭部についての断層画像ＩＴにて、オペレータが操作部３０２のポインディングデバイスを操作して断層画像ＩＴ上に第１計測点と第２計測点との組み合わせを複数規定する場合には、計測設定部１３１は、その第１計測点と第２計測点との組み合わせのそれぞれにより規定される領域を、計測部位としてそれぞれ設定する。そして、計測設定部１３１は、その第１計測点と第２計測点とのそれぞれの組み合わせにより規定される領域間の距離を計測させるように、計測項目と計測部位とをそれぞれ設定し、計測部１３２に出力する。
【００３０】
計測部１３２は、計測設定部１３１に設定された計測項目と計測部位とに基づいて、表示部１２１により表示される断層画像ＩＴを計測し計測結果を得る。計測部１３２は、計測設定部１３１から計測項目と計測部位とについてのデータを取得し、その計測項目と計測部位とについてのデータに基づいて、表示部１２１により表示される断層画像ＩＴを計測して、被検体の特性についての計測結果を得る。その後、計測部１３２は、取得した計測結果を計測画像生成部１３３に出力する。たとえば、計測設定部１３１によってＢＰＤが計測項目として設定されると共に、第１計測点と第２計測点とにより規定される領域が計測部位として断層画像ＩＴ上に設定された際には、計測部１３２は、表示部１２１により表示される断層画像ＩＴにて第１計測点と第２計測点とにより規定される領域の距離を計測して、計測結果を取得する。
【００３１】
また、ここで、計測設定部１３１によって計測項目と計測部位との組み合わせが複数設定された場合には、計測設定部１３１により設定された計測項目と計測部位との複数の組み合わせに基づいて、計測部１３２は、断層画像ＩＴを計測し、複数の計測結果をそれぞれ取得する。たとえば、ＢＰＤが計測項目として設定され、胎児の頭部についての断層画像ＩＴにて、オペレータが操作部３０２のポインディングデバイスを操作して断層画像ＩＴ上に第１計測点と第２計測点との組み合わせが、計測設定部１３１によって、複数、規定された場合には、計測部１３２は、その第１計測点と第２計測点とのそれぞれの組み合わせによって計測部位として規定される第１計測点と第２計測点との間の距離を計測し、被検体のＢＰＤについての複数の計測結果を取得する。
【００３２】
計測画像生成部１３３は、計測設定部１３１により設定された計測部位を示す計測部位画像ＩＰと、計測設定部１３１により設定された計測項目を示す計測項目画像ＩＱと、計測部１３２により得られた計測結果を示す計測結果画像ＩＲとを生成する。計測画像生成部１３３は、計測設定部１３１から計測部位と計測項目とに関するデータを取得すると共に、計測部１３２から計測結果に関するデータを取得する。そして、計測画像生成部１３３は、計測設定部１３１からの計測部位と計測項目とに関するデータと、計測部１３２からの計測結果に関するデータとに基づいて、計測部位画像ＩＰと計測項目画像ＩＱと計測結果画像ＩＲとを生成する。その後、計測画像生成部１３３は、計測部位画像ＩＰと計測項目画像ＩＱと計測結果画像ＩＲとの画像データを、表示部１２１と記憶部１４とのそれぞれに出力する。
【００３３】
たとえば、計測部１３２がＢＰＤを計測項目とし、断層画像ＩＴにて第１計測点と第２計測点とにより規定される領域を計測部位として、その第１計測点と第２計測点とにより規定される領域の距離を計測して計測結果を取得した際には、計測画像生成部１３３は、たとえば、第１計測点と第２計測点とを結ぶ計測部位を直線で示す計測部位画像ＩＰを計測キャリパとして生成すると共に、計測項目を文字で示す計測項目画像ＩＱと、計測結果を数値で示す計測結果画像ＩＲとをそれぞれ生成する。そして、計測画像生成部１３３により生成される計測部位画像ＩＰは、たとえば、断層画像ＩＴにおいて対応する領域で表示部１２１に表示される。そして、計測項目画像ＩＱと計測結果画像ＩＲのそれぞれは、たとえば、その計測部位画像ＩＰに並ぶように表示部１２１に表示される。
【００３４】
表示設定部１４１は、表示部１２１が表示する画像の表示条件を設定する。表示設定部１４１は、オペレータにより操作部３０２に入力される表示条件に関する指令に基づいて、表示条件を設定し、その表示条件についてのデータを表示部１２１に出力する。
【００３５】
図１に示すように、表示設定部１４１は、第１表示設定部２０１と、第２表示設定部２０２とを有する。
【００３６】
第１表示設定部２０１は、表示部１２１により表示される計測部位画像ＩＰと計測項目画像ＩＱと計測結果画像ＩＲとについての表示の可否を設定する。ここでは、第１表示設定部２０１は、オペレータにより操作部３０２に入力される指令に基づいて、計測部位画像ＩＰと計測項目画像ＩＱと計測結果画像ＩＲとを表示部１２１に表示させるか否かを設定する。そして、第１表示設定部２０１は、その表示可否に関する表示条件についてのデータを表示部１２１に出力する。
【００３７】
第２表示設定部２０２は、表示部１２１により表示される計測項目画像ＩＱと計測結果画像ＩＲとについての表示位置を設定する。ここでは、第２表示設定部２０２は、オペレータにより操作部３０２に入力される指令に基づいて、計測項目画像ＩＱと計測結果画像ＩＲとを、表示部１２１の画面において表示する位置を設定する。そして、第２表示設定部２０２は、その表示位置に関する表示条件についてのデータを表示部１２１に出力する。
【００３８】
超音波診断装置１における制御部３０１は、コンピュータにより構成されており、各部にそれぞれ接続されている。制御部３０１は、操作部３０２からの操作信号に基づいて各部に制御信号を与え動作を制御する。
【００３９】
操作部３０２は、たとえば、キーボード（ｋｅｙｂｏａｒｄ）、タッチパネル（ｔｏｕｃｈ  ｐａｎｅｌ）、トラックボール（ｔｒａｃｋ  ｂａｌｌ）、フットスイッチ（ｆｏｏｔ  ｓｗｉｃｈ）、音声入力装置などの入力装置により構成されている。操作部３０２は、オペレータからの操作情報が入力され、それに基づいて制御部３０１に指令を出力する。たとえば、操作部３０２は、表示部１２１により表示される計測部位画像ＩＰと計測項目画像ＩＱと計測結果画像ＩＲとについての表示の可否を、オペレータが入力可能な操作ボタンをキーボードに有し、その指令が入力された際には、第１表示設定部２０１に出力する。また、操作部３０２は、表示部１２１により表示される計測項目画像ＩＱと計測結果画像ＩＲとについての表示位置を、オペレータが入力可能なように形成されており、その指令が入力された際には、第２表示設定部２０２に出力する。
【００４０】
なお、上記の本実施形態の超音波診断装置１は、本発明の超音波診断装置に相当する。また、本実施形態の超音波プローブ１１は、本発明の超音波プローブに相当する。また、本実施形態の送受信部１２は、本発明の送受信部に相当する。また、本実施形態の断層画像生成部１３は、本発明の断層画像生成部に相当する。また、本実施形態の断層画像計測装置１０１は、本発明の断層画像計測装置に相当する。また、本実施形態の表示部１２１は、本発明の表示部に相当する。また、本実施形態の計測設定部１３１は、本発明の計測設定部に相当する。また、本実施形態の計測部１３２は、本発明の計測部に相当する。また、本実施形態の計測画像生成部１３３は、本発明の計測画像生成部に相当する。また、本実施形態の第１表示設定部２０１は、本発明の第１表示設定部に相当する。また、本実施形態の第２表示設定部２０２は、本発明の第２表示設定部に相当する。また、本実施形態の断層画像ＩＴは、本発明の断層画像に相当する。また、本実施形態の計測部位画像ＩＰは、本発明の計測部位画像に相当する。また、本実施形態の計測項目画像ＩＱは、本発明の計測項目画像に相当する。また、本実施形態の計測結果画像ＩＲは、本発明の計測結果画像に相当する。
【００４１】
つぎに、本発明にかかる実施形態の超音波診断装置１の動作について説明する。
【００４２】
図２は、本実施形態において、超音波診断装置を用いる方法を示すフロー図である。
【００４３】
図２に示すように、まず、はじめに、被検体をスキャンする（Ｓ１１）。
【００４４】
ここでは、オペレータが超音波プローブ１１を被検体に接触させながら、たとえば、Ｂモードでの撮影を行うための操作を、操作部３０２を用いて入力する。たとえば、送受信部１２が超音波プローブ１１を用いて超音波で音線順次に被検体の内部をスキャンしてエコー信号を受信し、そのエコー信号を断層画像生成部１３に出力する。そして、送受信部１２により得られるエコー信号に基づいて、その被検体の断層面についての断層画像ＩＴを断層画像生成部１３が生成する。そして、断層画像生成部１３により生成された断層画像ＩＴを、たとえば、記憶部１４のＨＤＤが記憶する。たとえば、超音波プローブ１１を用いて、妊婦の腹部内における胎児の頭部についてスキャンして、断層画像生成部１３がその断層画像ＩＴを生成し、記憶部１４がその胎児の頭部についての断層画像ＩＴを記憶する。
【００４５】
つぎに、断層画像ＩＴを表示する（Ｓ２１）。
【００４６】
ここでは、オペレータにより操作部３０２に入力される指令に基づいて、断層画像生成部１３により生成された断層画像ＩＴを、表示部１２１が記憶部１４のＨＤＤから取得し、その断層画像ＩＴを画面に表示する。たとえば、妊婦の腹部内における胎児の頭部についての断層画像ＩＴを記憶部１４から表示部１２１が取得し、画面にその断層画像ＩＴを表示する。
【００４７】
つぎに、計測条件を設定する（Ｓ３１）。
【００４８】
ここでは、オペレータにより操作部３０２に入力される計測項目と計測部位とに関する指令に基づいて、計測設定部１３１が計測項目と計測部位とを設定する。その後、計測項目と計測部位とについてのデータを計測設定部１３１が計測部１３２に出力する。たとえば、オペレータからの指令に基づいて、計測設定部１３１がＢＰＤを計測項目として設定する。そして、オペレータが操作部３０２を操作して胎児の頭部についての断層画像ＩＴにおいてに第１計測点と第２計測点とを規定したことに基づいて、計測設定部１３１が、その第１計測点と第２計測点とにより規定される領域を計測部位として設定する。
【００４９】
つぎに、計測を実施する（Ｓ４１）。
【００５０】
ここでは、計測設定部１３１に設定された計測項目と計測部位とに基づいて、計測部１３２が、表示部１２１により表示される断層画像ＩＴを計測し、計測結果を得る。たとえば、計測設定部１３１がＢＰＤを計測項目として設定し、第１計測点と第２計測点とにより規定される領域を計測部位として断層画像ＩＴ上に設定したデータを計測部１３２が取得する。その後、表示部１２１により表示される断層画像ＩＴにて第１計測点と第２計測点とにより規定される領域の距離を計測部１３２が計測して、計測結果を取得する。そして、その計測結果を計測部１３２が計測画像生成部１３３に出力する。
【００５１】
つぎに、計測画像を表示する（Ｓ５１）。
【００５２】
ここでは、まず、計測設定部１３１により設定された計測部位を示す計測部位画像ＩＰと、計測設定部１３１により設定された計測項目を示す計測項目画像ＩＱと、計測部１３２により得られた計測結果を示す計測結果画像ＩＲとを、計測画像生成部１３３が生成する。たとえば、ＢＰＤを計測する時の第１計測点と第２計測点とを結ぶ計測部位について直線で示す計測部位画像ＩＰを計測キャリパとして、計測画像生成部１３３が生成する。そして、計測項目であるＢＰＤを文字で示すように計測項目画像ＩＱを生成し、そのＢＰＤの計測結果を数値で示すように計測結果画像ＩＲを生成する。
【００５３】
そして、計測設定部１３１により設定された計測部位を示すように計測画像生成部１３３が生成した計測部位画像ＩＰを、断層画像ＩＴにおいて対応するように位置合わせして、表示部１２１が表示する。そして、その計測部位画像ＩＰと共に、計測設定部１３１により設定された計測項目を示すように、計測画像生成部１３３が生成した計測項目画像ＩＱと、計測部１３２により得られた計測結果を示すように、計測画像生成部１３３が生成した計測結果画像ＩＲとを、計測部位画像ＩＰに並ぶように位置合わせし、表示部１２１が表示する。
【００５４】
図３は、計測部位画像ＩＰと計測項目画像ＩＱと計測結果画像ＩＲとを、表示部１２１が計測画像として表示する画面を示す図である。
【００５５】
図３に示すように、たとえば、ＢＰＤを計測する時の第１計測点と第２計測点とを結ぶ計測部位を直線で示す計測部位画像ＩＰを、断層画像ＩＴにおいて対応する領域に表示部１２１が画面に表示する。そしてこれと共に、計測項目であるＢＰＤを文字で示す計測項目画像ＩＱと、ＢＰＤの計測結果を数値で示す計測結果画像ＩＲとを、その計測部位画像ＩＰに近接させて表示部１２１が画面に表示する。
【００５６】
なお、ここで、計測設定部１３１によって計測項目と計測部位との組み合わせが複数設定され、計測部１３２がその計測設定部１３１により設定された計測項目と計測部位との複数の組み合わせに基づいて、断層画像ＩＴを計測し、複数の計測結果をそれぞれ取得した際には、計測設定部１３１により複数設定された計測項目を示す複数の計測項目画像ＩＱと、計測部１３２により得られた複数の計測結果を示す複数の計測結果画像ＩＲとを、それぞれが異なる位置になるように計測部位画像ＩＰに並べて表示部１２１が表示する。
【００５７】
図４は、複数の計測部位画像ＩＰと、複数の計測項目画像ＩＱと、複数の計測結果画像ＩＲとを、表示部１２１が計測画像として表示する画面を示す図である。図４において、図４（ａ）は、複数の計測項目画像ＩＱと、複数の計測結果画像ＩＲとの表示位置が調整される前の状態を示しており、図４（ｂ）は、複数の計測項目画像ＩＱと、複数の計測結果画像ＩＲとの表示位置が調整された後の状態を示している。
【００５８】
図４に示すように、たとえば、ＢＰＤを計測項目とし複数の計測部位について計測を計測部１３２がそれぞれの組み合わせに応じて実施し、複数の計測結果を取得した場合には、計測部位を直線で示す複数の計測部位画像ＩＰ１，ＩＰ２を断層画像ＩＴにおいて対応する領域に、表示部１２１がそれぞれ表示する。そして、これと共に、各計測項目を文字で示す複数の計測項目画像ＩＱ１，ＩＱ２と、各計測結果を数値で示す複数の計測結果画像ＩＲ１，ＩＲ２とのそれぞれが重なり合わないように位置調整して、それぞれに対応する計測部位画像ＩＰ１，ＩＰ２に近接させて表示する。
【００５９】
具体的には、図４（ａ）に示すように、まず、たとえば、それぞれの計測部位画像ＩＰ１，ＩＰ２の上側中央位置に、それぞれの計測項目画像ＩＱ１，ＩＱ２と計測結果画像ＩＲ１，ＩＲ２とを表示部１２１が表示する。ここでは、図４（ａ）に示すように、それぞれの計測項目画像ＩＱ１，ＩＱ２と計測結果画像ＩＲ１，ＩＲ２とがそれぞれの計測部位画像ＩＰ１，ＩＰ２の上側中央位置で重なった位置で表示される。この場合には、それぞれの計測項目画像ＩＱ１，ＩＱ２と計測結果画像ＩＲ１，ＩＲ２とのそれぞれが重なり合わない位置を表示部１２１が探索して、その位置を調整して表示する。たとえば、それぞれの計測部位画像ＩＰ１，ＩＰ２の上側中央位置から上側左位置、上側右位置、下側中央位置、下側左位置、下側右位置の順で、それぞれの計測項目画像ＩＱ１，ＩＱ２と計測結果画像ＩＲ１，ＩＲ２とのそれぞれが重なり合わない位置を探索して、その位置を調整する。そして、これにより、たとえば、図４（ｂ）に示すように、それぞれの計測部位画像ＩＰ１，ＩＰ２の上側左位置に、それぞれの計測項目画像ＩＱ１，ＩＱ２と計測結果画像ＩＲ１，ＩＲ２とを移動して、互いが重なり合わないように表示部１２１が表示する。
【００６０】
また、表示設定部１４１によって表示条件が設定された際には、表示設定部１４１が設定した表示条件に基づいて、表示部１２１が画像の表示を実施する。具体的には、第１表示設定部２０１によって計測部位画像ＩＰと計測項目画像ＩＱと計測結果画像ＩＲとについての表示の可否が設定された際には、第１表示設定部２０１による表示可否の設定に対応するように、計測部位画像ＩＰと計測項目画像ＩＱと計測結果画像ＩＲとを表示部１２１が表示する。たとえば、第１表示設定部２０１によって計測部位画像ＩＰと計測項目画像ＩＱと計測結果画像ＩＲとについての表示を無くす設定がされた場合には、表示部１２１は、その設定に対応するように、計測部位画像ＩＰと計測項目画像ＩＱと計測結果画像ＩＲとの表示の実施を停止し、断層画像ＩＴのみを表示する。
【００６１】
また、第２表示設定部２０２によって計測項目画像ＩＱと計測結果画像ＩＲとについての表示位置が設定された際には、第２表示設定部２０２の設定に対応する位置で計測項目画像ＩＱと計測結果画像ＩＲとを、表示部１２１が表示する。計測項目画像ＩＱと計測結果画像ＩＲとについての表示位置を、計測部位画像ＩＰの中心部分から第１計測点側に移動するように第２表示設定部２０２によって設定された場合には、表示部１２１は、その設定に対応するように、計測項目画像ＩＱと計測結果画像ＩＲとについての表示位置を計測部位画像ＩＰの第１計測点側に移動して表示する。
【００６２】
以上のように、本実施形態においては、表示部１２１により表示される断層画像ＩＴを計測する計測項目と、表示部１２１により表示される断層画像ＩＴについて計測する計測部位とを計測設定部１３１が設定する。そして、計測設定部１３１に設定された計測項目と計測部位とに基づいて、表示部１２１により表示される断層画像ＩＴを計測部１３２が計測して計測結果を得る。そして、計測設定部１３１により設定された計測部位を示す計測部位画像ＩＰと、計測設定部１３１により設定された計測項目を示す計測項目画像ＩＱと、計測部１３２により得られた計測結果を示す計測結果画像ＩＲとを、計測画像生成部１３３が生成する。その後、計測設定部１３１により設定された計測部位を示す計測部位画像ＩＰを断層画像ＩＴにおいて対応する領域に、表示部１２１が表示する。そして、これと共に、計測設定部１３１により設定された計測項目を示す計測項目画像ＩＱと、計測部１３２により得られた計測結果を示す計測結果画像ＩＲとを、計測部位画像ＩＰに近接して並ぶように表示部１２１が表示する。このため、本実施形態は、計測項目および計測結果と、これに関連する計測部位とを、オペレータが対応付けて判断することが容易になり、診断などの作業を効率的に実施でき、操作性を向上することができる。
【００６３】
また、本実施形態においては、計測部位画像ＩＰと計測項目画像ＩＱと計測結果画像ＩＲとについて表示部１２１が表示するか否かを、第１表示設定部２０１が設定する。この時、表示部１２１は、第１表示設定部２０１による表示可否の設定に対応するように計測部位画像ＩＰと計測項目画像ＩＱと計測結果画像ＩＲとを表示する。また、その他に、本実施形態においては、表示部１２１により表示される計測項目画像ＩＱと計測結果画像ＩＲとについての表示位置を第２表示設定部２０２が設定する。そして、この時、表示部１２１は、第２表示設定部２０２による設定に対応する位置で計測項目画像ＩＱと計測結果画像ＩＲとを表示する。このため、本実施形態は、計測項目および計測結果と、これに関連する計測部位とを、オペレータが対応付けて判断することが容易になり、診断などの作業を効率的に実施でき、操作性を向上することができる。
【００６４】
また、本実施形態においては、計測項目と計測部位との組み合わせを計測設定部１３１が複数設定し、計測設定部１３１により設定された計測項目と計測部位との複数の組み合わせに基づいて、計測部１３２が断層画像ＩＴを計測して複数の計測結果を取得する。この時、表示部１２１は、計測設定部１３１により複数設定された計測項目を示す複数の計測項目画像ＩＱと、計測部１３２により得られた複数の計測結果を示す複数の計測結果画像ＩＲとを、それぞれが異なる位置になるように、計測部位画像ＩＰに並べて表示する。このため、本実施形態は、計測項目および計測結果と、これに関連する計測部位とを、オペレータが対応付けて判断することが容易になり、診断などの作業を効率的に実施でき、操作性を向上することができる。
【００６５】
なお、本発明の実施に際しては、上記した実施の形態に限定されるものではなく、種々の変形形態を採用することができる。
【００６６】
たとえば、上記の実施形態においては、ＢＰＤを計測項目にした場合について説明したが、これに限定されない。たとえば、胎児の頭頂から尾骨先端までの距離（ＣＲＬ：Ｃｒｏｗｎ  Ｒｕｍｐ  Ｌｅｎｇｔｈ），胎児大腿骨長（ＦＦＬ：Ｆｅｔａｌ  Ｆｅｍｕｒ  Ｌｅｎｇｔｈ），胎児胸郭径（ＦＴＤ：Ｆｅｔａｌ  Ｔｈｏｒａｘ  Ｄｉａｍｅｔｅｒ），ＬＶＩＤｄ（Ｌｅｆｔ  Ｖｅｎｔｒｉｃｕｌａｒ  Ｉｎｔｅｒｎａｌ  Ｄｉａｍｅｔｅｒ  Ｄｉａｓｔｏｌｅ），ＩＶＳｄ（Ｉｎｔｅｒｖｅｎｃｔｉｃｕｌａｒ  Ｓｅｐｔａｌ  Ｔｈｉｃｋｎｅｓｓ  Ｄｉａｓｔｏｌｅ），ＬＶＰＷｄ（Ｌｅｆｔ  Ｖｅｎｃｔｒｉｃｕｌａｒ  Ｐｏｓｔｅｒｉｏｒ  Ｗａｌｌ  Ｔｈｉｃｋｎｅｓｓ  Ｄｉａｓｔｔｏｌｅ）などの計測項目についての計測を実施することができる。
【図面の簡単な説明】
【００６７】
【図１】図１は、本発明にかかる実施形態の超音波診断装置の全体構成を示すブロック図である。
【図２】図２は、本発明にかかる実施形態における超音波診断装置を用いて画像を生成する方法を示すフロー図である
【図３】図３は、本発明にかかる実施形態の超音波診断装置において、計測部位画像と計測項目画像と計測結果画像とを、表示部が計測画像として表示する画面を示す図である。
【図４】図４は、本発明にかかる実施形態の超音波診断装置において、複数の計測部位画像と、複数の計測項目画像と、複数の計測結果画像とを、表示部が計測画像として表示する画面を示す図である。
【符号の説明】
【００６８】
１…超音波診断装置（超音波診断装置）、
１１…超音波プローブ（超音波プローブ）、
１２…送受信部（送受信部）、
１３…断層画像生成部（断層画像生成部）、
１４…記憶部、
１０１…断層画像計測装置（断層画像計測装置）
１２１…表示部（表示部）、
１３１…計測設定部（計測設定部）、
１３２…計測部（計測部）、
１３３…計測画像生成部（計測画像生成部）、
１４１…表示設定部、
２０１…第１表示設定部（第１表示設定部）、
２０２…第２表示設定部（第２表示設定部）、
３０１…制御部
３０２…操作部
ＩＴ…断層画像（断層画像）、
ＩＰ…計測部位画像（計測部位画像）、
ＩＱ…計測項目画像（計測項目画像）、
ＩＲ…計測結果画像（計測結果画像）
【図１】
2006149701.tif 000003
【図２】
2006149701.tif 000004
【図３】
2006149701.tif 000005
【図４】
2006149701.tif 000006